(57)【要約】      （修正有）【課題】色ムラ発生の抑制、ビビリ発生の抑制及びキャビネットとディスプレー装置の間隙の不均一性の解消を実現する。【解決手段】液晶パネル前面の縁にベゼルを備える液晶モジュールと、液晶パネルの縁を前方から覆うとともに略中央の開口から同液晶パネルにおける画像表示領域を外部に露出させる前側壁面を有するテレビジョンキャビネットとを備え、前側壁面の内壁におけるベゼルと相対する範囲には所定の弾性シートを貼り付けていた液晶テレビジョンにおいて、前側壁面の内壁においては、弾性シートを貼り付けず、液晶モジュールを収容し固定した際にべセルに当接する長さの第一リブを同内壁から延出させ、かつ、当該第一リブと、液晶モジュールの厚み方向の側面の中途位置から突出した被固定部位を固定するために内壁に設けたボスおよび第二リブとを一体的に形成した。【選択図】図３
0003115175.tif 000002
【実用新案登録請求の範囲】
【請求項１】
液晶パネル前面の縁にベゼルを備える液晶モジュールと、液晶モジュールを内部に収容する筺体であって液晶パネルの縁を前方から覆うとともに略中央の開口から同液晶パネルにおける画像表示領域を外部に露出させる前側壁面を有するテレビジョンキャビネットとを備え、上記前側壁面の内壁における上記ベゼルと相対する範囲には所定の弾性シートを貼り付けていた液晶テレビジョンにおいて、
上記前側壁面の内壁においては、上記弾性シートを貼り付けず、液晶モジュールを収容し固定した際に上記べセルに当接する長さの第一リブを同内壁から延出させ、かつ、当該第一リブと、上記液晶モジュールの厚み方向の側面の中途位置から突出した被固定部位を固定するために上記内壁に設けたボスおよび第二リブとを一体的に形成し、
上記ベゼルは、液晶パネル前面における上下左右の縁領域に略当接する面を備えるとともに当該面の一部を波状に屈曲させていることを特徴とする液晶テレビジョン。
【請求項２】
前面の縁にベゼルを備えたディスプレイ装置をテレビジョンキャビネットの内部に収容するディスプレイ装置収容構造において、
上記テレビジョンキャビネットは、上記前面の縁を前方から覆って同前面における画像表示領域を外部に露出させる前側壁面の内壁から、上記ディスプレイ装置を収容し固定した際に上記べセルに当接する長さの第一リブを延出させていることを特徴とするディスプレイ装置収容構造。
【請求項３】
上記前側壁面の内壁には、ディスプレイ装置の厚み方向の側面の中途位置から突出した被固定部位を固定するためのボスおよび第二リブが設けられているとともに、上記第一リブは、上記ボス及び第二リブと一体的に形成されていることを特徴とする請求項２に記載のディスプレイ装置収容構造。
【請求項４】
上記ベゼルは、ディスプレイ装置の前面における縁領域に略当接する面を備えるとともに、当該面の一部を波状に屈曲させていることを特徴とする請求項２または請求項３のいずれかに記載のディスプレイ装置収容構造。
【請求項５】
上記ディスプレイ装置は、液晶モジュールであることを特徴とする請求項２〜請求項４のいずれかに記載のディスプレイ装置収容構造。
【考案の詳細な説明】
【技術分野】
【０００１】
本考案は、液晶テレビジョンおよびディスプレイ装置収容構造に関する。
【背景技術】
【０００２】
図５は、従来における、液晶モジュールのフロントキャビネットへの収容・取付構造を示している。同図は、液晶モジュール２０の一部であって、液晶テレビジョン正面から見て左側の端部付近および、テレビジョンの筺体としてのフロントキャビネット１０の一部であって上記端部付近を収容する部分を、それぞれ液晶テレビジョンの上方から見た場合を示している。ただし、フロントキャビネット１０については、前後方向の断面によって示している。
【０００３】
同図に示すように、フロントキャビネット１０の前側壁面であるフロント面１１は、液晶パネル２１の縁の領域を前方から覆っている。また、フロント面１１の内壁からは、キャビネット内部に向かって、ボス１２およびリブ１３が立設している。さらに、フロント面１１の略中央には、液晶パネル２１の画面表示領域を外部に露出させるための開口１６が形成されている。
【０００４】
一方、液晶モジュール２０の側面であってその厚み方向（前後方向）を形成する側面（図の場合、左側面）からは、金属や樹脂などを用いて形成した被固定部位２２が、画面と略平行な方向に突出している。被固定部位２２は、液晶モジュール２０をフロントキャビネット１０内に収容した際にボス１２およびリブ１３の先端に当接する部位であり、ボス１２のボス穴１２ａと被固定部位２２に予め形成したネジ穴２４とを位置合わせし、両者をネジ４０により固定する。
【０００５】
また、液晶パネル２１の前面における縁領域を含む同液晶モジュール２０の周囲には、同液晶モジュール２０を補強するための板金（ベゼル）２３が取り付けられている。上記のように被固定部位２２をボス１２およびリブ１３によって位置決めした場合、ベゼル２３のうち液晶パネル２１の前面の縁領域を覆う部分は、フロント面１１の内壁のうち上記ボス１２およびリブ１３が形成されている位置よりも開口１６寄りの部位に対して、ある距離を空けて相対することになる。また、フロント面１１の部位のうち開口１６を実質的に構成する開口側端部１５の先端１５ａは、キャビネット内側に向けて若干突出しており、当該先端１５ａと液晶パネル２１の前面とは、前記距離よりも狭い隙間を空けて相対している。
【０００６】
かかる構成において従来では、図に示すように、ベゼル２３と相対するフロント面１１の内壁に、不織布など弾性を有する弾性シート５０を貼り付けることで、かかるベゼル２３とフロント面１１内壁との隙間空間を解消していた。
【０００７】
また、従来技術として、筺体開口部と枠体にてタッチセンサを保護するベゼルを押圧保持するベゼル取付構造が知られている（例えば、特許文献１参照。）。
さらに、従来技術として、特許文献２〜４が知られている。
【特許文献１】実開平２‐１４１３７号公報
【特許文献２】特開平１‐１８７６２６号公報
【特許文献３】実開昭６２‐１５４５４８号公報
【特許文献４】実開平１‐１４７４３８号公報
【考案の開示】
【考案が解決しようとする課題】
【０００８】
従来のように、ボス１２およびリブ１３によって、液晶モジュール２０の前後方向の位置決めを行う場合、フロントキャビネット１０と液晶モジュール２０との固定箇所が、被固定部位２２という液晶モジュール２０における最も外側の位置であった。そのため、ネジ４０の締め付け具合を強めにし過ぎると、フロントキャビネット１０、特にフロント面１１が撓んで、ベゼル２３が弾性シート５０を介して強い力で押圧されたり、上記開口側端部１５の先端１５ａが液晶パネル２１に接触することがあった。かかる不要な接触による負荷は、液晶パネル２１に画像表示をした場合に同接触した部分の付近がにじんだ画像となる、いわゆる色ムラという現象を発生させていた。
【０００９】
また、液晶テレビジョンにおいては、音声を出力したときにフロントキャビネット１０が細かく振動する。弾性シート５０は、かかる振動によって液晶モジュール２０側とフロントキャビネット１０とが僅かな接触を繰り返すことで音声が震える現象（いわゆる、ビビリ）を抑制するために貼り付けられた部材であるが、この弾性シート５０の貼付け作業自体が液晶テレビジョンの製造工程において大きな負担となっていた。また、不織布などの弾性シート５０は高価であるため、製品コストを押上げていた。
【００１０】
さらに、上述の液晶モジュール２０の前後方向の位置決め構造では、上記先端１５ａと液晶パネル２１との隙間を一定に保持にしづらい構造であるため、開口１６の上下左右全範囲における先端１５ａと液晶パネル２１と隙間の均一性を保つことが困難であった。
【００１１】
さらに、上記各文献は、上述の液晶モジュール２０の前後方向の位置決め構造と弾性シート５０とを採用した場合に生じる上記各課題を解決するものではない。
【００１２】
本考案は、上記課題に鑑みてなされたもので、製造に要するコストと作業数を減らし、かつ、ディスプレイ装置における色ムラの発生の抑制、ビビリの発生の抑制、さらには、キャビネットとディスプレイ装置との隙間の不均一性の解消を実現することの可能な液晶テレビジョンおよびディスプレイ装置収容構造を提供することを目的とする。
【課題を解決するための手段】
【００１３】
上記目的を達成するため、請求項２の考案は、前面の縁にベゼルを備えたディスプレイ装置をテレビジョンキャビネットの内部に収容するディスプレイ装置収容構造において、上記テレビジョンキャビネットは、上記前面の縁を前方から覆って同前面における画像表示領域を外部に露出させる前側壁面の内壁から、上記ディスプレイ装置を収容し固定したた際に上記べセルに当接する長さの第一リブを延出させている構成としてある。
【００１４】
上記のように構成した請求項２においては、ディスプレイ装置をテレビジョンキャビネット内部に収容して固定した際に、同テレビジョンキャビネットの前側壁面の内壁から延出している第一リブが、ディスプレイ装置の前面の縁に備えられたベゼルに当接する。つまり、第一リブが前側壁面とベゼルとの間の支えとなって、ディスプレイ装置に対する前側壁面の距離が一定となる。そのため、前側壁面がフリーな状態で振動することが無くなり、前側壁面の先端とディスプレイ装置前面との細かな接触の繰り返しによるビビリの発生が抑えられる。
【００１５】
また、第一リブの存在によって前側壁面が撓まなくなり、従来のように不織布などの弾性シートを用いていた場合よりも前側壁面とベゼルやディスプレイ装置前面との距離が安定するため、ベゼルやディスプレイ装置前面に対する不必要な外的負荷が減り、上述の色ムラも解消される。
【００１６】
請求項３の考案は、請求項２に記載のディスプレイ装置収容構造において、上記前側壁面の内壁には、ディスプレイ装置の厚み方向の側面の中途位置から突出した被固定部位を固定するためのボスおよび第二リブが設けられているとともに、上記第一リブは、上記ボス及び第二リブと一体的に形成されている構成としてある。
【００１７】
上記のように構成した請求項３においては、ディスプレイ装置をテレビジョンキャビネット内に収容した際に、ディスプレイ装置の厚み方向の側面の中途位置から突出した被固定部位を、上記前側壁面の内壁に設けたボスおよび第二リブに当接させて固定する。また、上記第一リブと、ボスと第二リブとは、一体的に形成されている。
つまり、前側壁面からボスと第二リブの長さ分だけキャビネット内部側に進んだ位置にて被固定部位を、前側壁面から第一リブの長さ分だけキャビネット内部側に進んだ位置にてベゼルを、それぞれ位置決めすることにより、ディスプレイ装置のキャビネット内における前後方向の位置決めを確実なものとする。
【００１８】
請求項４の考案は、請求項２または請求項３のいずれかに記載のディスプレイ装置収容構造において、上記ベゼルは、ディスプレイ装置の前面における縁領域に略当接する面を備えるとともに、当該面の一部を波状に屈曲させている構成としてある。
上記のように構成した請求項４においては、ベゼルは、ディスプレイ装置の前面における縁領域に略当接する面の一部が波状に屈曲しているため、ベゼルの強度が向上している。つまり、前側壁面がたわんで同前側壁面によってベゼルが押圧された場合であっても、ベゼル自体が高い強度を持っているためかかる押圧の影響が同ベゼル内側のディスプレイ装置にまで及ばず、上記のような色ムラが発生しない。
【００１９】
請求項５の考案は、請求項２〜請求項４のいずれかに記載のディスプレイ装置収容構造において、上記ディスプレイ装置は、液晶モジュールである構成としてある。
つまり、液晶モジュールをテレビジョンキャビネットに収容・固定する際に上記の各構成を適用することで、液晶パネルにおいて発生しやすい上記色ムラを適切に排除することができる。
【００２０】
上記の各構成を踏まえた上で、請求項１の考案は、液晶パネル前面の縁にベゼルを備える液晶モジュールと、液晶モジュールを内部に収容する筺体であって液晶パネルの縁を前方から覆うとともに略中央の開口から同液晶パネルにおける画像表示領域を外部に露出させる前側壁面を有するテレビジョンキャビネットとを備え、上記前側壁面の内壁における上記ベゼルと相対する範囲には所定の弾性シートを貼り付けていた液晶テレビジョンにおいて、上記前側壁面の内壁においては、上記弾性シートを貼り付けず、液晶モジュールを収容した際に上記べセルに当接する長さの第一リブを同内壁から延出させ、かつ、当該第一リブと上記液晶モジュールの厚み方向の側面の中途位置から突出した被固定部位を固定するために上記内壁に設けたボスおよび第二リブとを一体的に形成し、上記ベゼルは、液晶パネル前面における上下左右の縁領域に略当接する面を備えるとともに当該面の一部を波状に屈曲させている構成としてある。
【００２１】
このように、より具体的な構成とした請求項１において、上記請求項２〜請求項５と同様の作用、効果を奏することは言うまでも無い。
【考案の効果】
【００２２】
以上説明したように本考案によれば、テレビジョンキャビネット内において、その前側壁面とディスプレイ装置におけるベゼルおよび前面との距離が一定に保たれて、同前側壁面の不要な変形や振動が無くなるため、いわゆる色ムラやビビリの発生を確実に禁止することができる。
また、前側壁面とディスプレイ装置の前面との隙間の均一性が保持されるため、同隙間の不均一による不良製品の発生という問題が解消される。
さらに、従来のようにビビリ低減のために前側壁面の内壁に弾性シートを張り付ける必要が無くなったため、従来と比較して製品製造のためのコストおよび作業量を低減することができる。
【考案を実施するための最良の形態】
【００２３】
図１は、本考案にかかる液晶テレビジョン１００の組み立ての概略構造を斜視図によって示している。以下においては、上述の図５中の各構成と共通するものに対しては、図５と同じ符号を付して説明を行う。
図１に示すように、液晶テレビジョン１００は、液晶モジュール２０を、フロントキャビネット１０とリアキャビネット３０とが形成するテレビジョンキャビネットの内部に収容することにより構成される。フロントキャビネット１０は、略中央に開口１６を形成したフロント面１１と、フロント面１１の上下左右の各辺から略後方に延出する側面とによって構成される。
【００２４】
液晶モジュール２０は、その画面（前面）がフラットな液晶パネル２１を始めとして、バックライトや液晶パネル駆動回路などが組み合わされた状態の製品である。フロント面１１は、液晶モジュール２０を前方から覆うとともに、開口１６によって液晶パネル２１の画像表示領域を外部に露出させる。また、液晶モジュール２０は、上下左右の側面から、被固定部位２２を画面と略平行な方向に突出させている。
図示は省略してあるが、テレビジョンキャビネットの内部には、液晶モジュール２０以外にも、チューナ回路や、電源回路や、映像処理回路や、音声処理回路など、テレビジョンとしての機能を実現するための様々な部品が収容される。
【００２５】
また、図１では省略しているが、液晶パネル２１の縁を含む液晶モジュール２０の所定部位に、補強材としてのべセル２３が取り付けられる。ベゼル２３は、少なくとも液晶パネル２１の前面における上下左右の縁領域（図１の網かけ状の表示を参照。）を含む、液晶モジュール２０の周囲を覆うものとする。
【００２６】
図２は、フロントキャビネット１０を背面側から示している。
本実施形態においては、フロント面１１の裏側（内壁）の複数箇所に、ボス１２とリブ１３（第二リブ）とリブ１４（第一リブ）とからなるベゼル位置決め部６０を形成する。ボス１２、リブ１３、リブ１４はいずれも、フロント面１１の内壁から後方に向かって略垂直に立設するとともに、一体的に形成されている。
つまり、従来においては、上記内壁にはボス１２とリブ１３が形成されており、これらより開口１６寄りの範囲には不織布などの弾性シート５０が貼り付けられていたが、本考案では、弾性シート５０を貼ることなく、同弾性シート５０が貼られていた範囲に新たにリブ１４を形成するとした。各ベゼル位置決め部６０の構成および機能は共通である。
【００２７】
図３は、本考案にかかる液晶モジュールのフロントキャビネットへの収容・取付構造を示している。同図は図５と同様に、液晶モジュール２０の一部であって、液晶テレビジョン１００正面から見て左側の端部付近および、フロントキャビネット１０の一部であって上記端部付近を収容する部分を、それぞれ液晶テレビジョン１００の上方から見た場合を示している。ここでは、フロントキャビネット１０については、図２の１点鎖線によって前後方向に切断した場合の断面図によって示している。
【００２８】
図３に示した構成のうち図５と異なる構成について重点的に説明する。
液晶モジュール２０をフロントキャビネット１０に収容した場合、まず従来と同様に、被固定部位２２は、リブ１３およびボス１２の先端に当接し（厳密には、ベゼル２３が被固定部位２２の前方側まで覆っている場合、ベゼル２３がリブ１３およびボス１２の先端に当接する。）、その位置でネジ止めされる。被固定部位２２の前後方向の位置は、ボス１２およびリブ１３のフロント面１１からの高さによって決まる。
【００２９】
そして、液晶モジュール２０に取り付けたベゼル２３のうち液晶パネル２１の前面の縁領域に当接する面（パネル面補強部２３ａ）と対抗するフロント面１１の内壁からは、リブ１４が延出している。リブ１４は、ボス１２およびリブ１３よりもフロント面１１からの高さが低く、上記のように被固定部位２２がボス１２とリブ１３とによって位置決めされた際にパネル面補強部２３ａに当接する高さに設計されている。
さらに、開口側端部１５における先端１５ａのフロント面１１からの高さは、被固定部位２２がボス１２とリブ１３とによって位置決めされた際の液晶パネル２１の前面と当該先端１５ａとの隙間が理想値ｄ（例えば、０，２ｍｍ）となるように、設計されている。
【００３０】
上記のように、パネル面補強部２３ａに当接する高さを持つリブ１４をフロント面１１の内壁から延出させたことで、以下の効果が生じる。
つまり、上記ボス１２およびリブ１３に加え、これらよりも開口１６に近く、かつフロント面１１からの距離が近い位置においても液晶モジュール２０のフロントキャビネット１０内での前後方向の位置決めがなされる。そのため、フロントキャビネット１０に液晶モジュール２０を固定する際の力が被固定部位２２のネジ穴２４周辺だけに集中することなく分散される。その結果、ネジ４０の締め付けによるフロントキャビネット１０（フロント面１１）の撓みや変形が防止され、同撓みや変形によって上記先端１５ａなどのフロント面１１の一部が不必要に液晶パネル２１に接触して起こり得る色ムラも発生しなくなる。
【００３１】
また、リブ１４がフロント面１１の内壁とパネル面補強部２３ａとの間に介在して両者を接続することで、液晶テレビジョン１００が音声を出力したときにフロント面１１の特に開口１６付近の部位がフリーな状態で振動することが禁止される。そのため、開口側端部１５の先端１５ａが細かく振動して液晶パネル２１の前面に繰り返し接触することで生じていたビビリの発生を抑えることができる。
なお本考案は、テレビジョンキャビネットの厚みが薄く設計されているために元々テレビジョンキャビネットの強度が低く変形し易い２０インチ以下のモデルにかかる液晶テレビジョンに適用すると、上記効果が顕著に表れ好ましい。
【００３２】
さらに、上述したようにリブ１４の存在によってフロント面１１の撓み、変形が防止されることから、開口側端部１５の先端１５ａは、液晶パネル２１の前面との隙間を理想値ｄに保つことができる。そして、ベゼル位置決め部６０は、図２に示したように開口１６周囲の複数箇所に設けられるため、開口１６の上下左右のほぼ全ての位置において、先端１５ａと液晶パネル２１の前面との隙間を理想値ｄに保つことができ、かかる隙間の不均一による不良製品の発生という問題が解消される。
【００３３】
さらに、ビビリ対策のために従来のように弾性シート５０をフロント面１１の内壁に貼る必要がなくなったため、液晶テレビジョン１００の製造工程における作業数を減らすことができ、かつ、弾性シート５０を用いていたことによる製品コストの上昇を抑えることができる。
【００３４】
さらに、本考案は、従来のフロントキャビネット１０を熱成形する際に用いていた熱成形用金型に対して、リブ１４に対応する部分を削るという改良を加えるだけで実現可能であるため、極めて経済的である。
【００３５】
上記色ムラをより効果的に防止するために、次の構成を採用してもよい。
図４は、本考案にかかる液晶モジュールのフロントキャビネットへの収容・取付構造であって、他の例を示している。同図は、ベゼル２３のパネル面補強部２３ａにしぼり２３ａ１を設けた点が上記図３と異なる。しぼり２３ａ１とは、パネル面補強部２３ａの一部を波状に屈曲させた部分であり、当該しぼり２３ａ１は、液晶パネル２１の前面の上下左右の縁領域を覆うパネル面補強部２３ａにそれぞれ通しで形成されている。
【００３６】
つまり、パネル面補強部２３ａを単に板状とするよりも、しぼり２３ａ１を入れることでパネル面補強部２３ａの強度がより増す。その結果、万が一フロント面１１が変形してしまい、リブ１４がパネル面補強部２３ａを必要以上に押圧した場合であっても、パネル面補強部２３ａ自体が高い強度を持つために変形せず、内側の液晶パネル２１にまで不要な負荷が伝わることが禁止される。その結果、液晶パネル２１に不要な外的負荷がかかることで生じうる上記色ムラの発生がより確実に抑制される。
【図面の簡単な説明】
【００３７】
【図１】本考案にかかる液晶テレビジョンの組立てを概略的に示した斜視図。
【図２】フロントキャビネットの背面図。
【図３】液晶モジュールのフロントキャビネットへの収容・取付構造を示す図。
【図４】他の例にかかる液晶モジュールのフロントキャビネットへの収容・取付構造を示す図。
【図５】従来における液晶モジュールのフロントキャビネットへの収容・取付構造を示す図。
【符号の説明】
【００３８】
１０…フロントキャビネット
１１…フロント面
１２…ボス
１３…リブ
１４…リブ
１５…開口側端部
１５ａ…先端
１６…開口
２０…液晶モジュール
２１…液晶パネル
２２…被固定部位
２３…ベゼル
２３ａ…パネル面補強部
２３ａ１…しぼり
３０…リアキャビネット
５０…弾性シート
６０…ベゼル位置決め部
１００…液晶テレビジョン
【図１】
0003115175.tif 000003
【図２】
0003115175.tif 000004
【図３】
0003115175.tif 000005
【図４】
0003115175.tif 000006
【図５】
0003115175.tif 000007